(57)【要約】  本発明は、第１ユーザ識別コードによりユーザデバイスと第１移動体通信網間の第１リンクを確立するステップと、サーバにある１つのＳＩＭカードに対応する、ユーザデバイスの現在所在地のユーザ識別コードを、第１リンクを介してユーザデバイスに割り当てるようサーバに請求するステップと、第１リンクを介してサーバから割り当てられた第２ユーザ識別コードを取得するステップと、第２ユーザ識別コードによりユーザデバイスと現在所在地の第２移動体通信網間の第２リンクを確立するステップを含む方法を提供する。本発明の実施形態によるローミング料金が低減され、通信の質が向上する。
2019506796.tif 000002
【特許請求の範囲】
【請求項１】
第１ユーザ識別コードによりユーザデバイスと第１移動体通信網との間の第１リンクを確立するステップと、
前記第１リンクを介して、サーバにある実体ＳＩＭカードに対応する、前記ユーザデバイスの現在所在地のユーザ識別コードを前記ユーザデバイスに割り当てるようにサーバに請求するステップと、
前記第１リンクを介して、前記サーバから前記ユーザデバイスに割り当てた第２ユーザ識別コードを取得するステップと、
前記第２ユーザ識別コードにより前記ユーザデバイスと現在所在地の第２移動体通信網間の第２リンクを確立するステップを含むことを特徴とするアクセス方法。
【請求項２】
前記第２ユーザ識別コードにより前記ユーザデバイスと現在所在地の第２移動体通信網との間の第２リンクを確立する上、前記第１リンクを介する下記ステップを含み、
前記第２ユーザ識別コードにより前記第２移動体通信網にアクセス請求を開始するステップと、
前記第２移動体通信網から送信された認証請求メッセージを取得するステップと、
前記サーバ内の前記実体ＳＩＭカードが、前記認証請求メッセージにより認証応答を決定するように、前記認証請求メッセージを前記サーバに送信するステップと、
前記サーバから送信された認証応答を取得するステップと、
前記ユーザデバイスと前記第２移動体通信網間の前記第２リンクを確立するために、前記第２移動体通信網に前記認証応答を送信するステップを含むことを特徴とする請求項１記載の方法。
【請求項３】
前記ユーザデバイスと前記第１移動体通信網との間の前記第１リンクを解放するステップを含むことを特徴とする請求項１記載の方法。
【請求項４】
前記ユーザデバイスが第１ユーザデバイスと無線ＬＡＮネットワーク接続を確立するステップを含むことを特徴とする請求項１〜３の何れか記載の方法。
【請求項５】
第１ユーザ識別コードによりユーザデバイスと第１移動体通信網間の第１リンクを確立するように構成される第１リンク確立モジュールと、
前記第１リンクを介して、サーバにある実体ＳＩＭカードに対応する、前記ユーザデバイスの現在所在地のユーザ識別コードを前記ユーザデバイスに割り当てるよう前記サーバに請求するように構成される請求モジュールと、
前記第１リンクを介して、前記サーバから前記ユーザデバイスに割り当てた第２ユーザ識別コードを取得するように構成される第１取得モジュールと、
前記第２ユーザ識別コードにより前記ユーザデバイスと現在所在地の第２移動体通信網間の第２リンクを確立するように構成される第２リンク確立モジュールを含むことを特徴とするユーザデバイス。
【請求項６】
前記第１リンクを介して前記第２ユーザ識別コードにより前記第２移動体通信網にアクセス請求を開始するように構成される第１アクセス請求部と、
前記第１リンクを介して前記第２移動体通信網から送信された認証請求メッセージを取得するように構成される第１取得部と、
前記サーバ内の前記実体ＳＩＭカードが、前記認証請求メッセージにより認証応答を決定するように、前記第１リンクを介して前記認証請求メッセージを前記サーバに送信するように構成される第１送信部と、
前記第１リンクを介して前記サーバから送信された認証応答を取得するように構成される第２取得部と、
前記ユーザデバイスと前記第２移動体通信網間の前記第２リンクを確立するために、前記第１リンクを介して前記第２移動体通信網に前記認証応答を送信するように構成される第２送信部を含むことを特徴とする請求項５記載のデバイス。
【請求項７】
前記ユーザデバイスと前記第１移動体通信網との間の前記第１リンクを解放するように構成されるリンク解放モジュールを含むことを特徴とする請求項６記載のデバイス。
【請求項８】
第１ユーザデバイスと無線ＬＡＮネットワーク接続を確立するように構成される第２通信モジュールを含むことを特徴とする請求項５〜７の何れか記載のデバイス。
【請求項９】
ユーザデバイスと第１移動体通信網との間のリンクである第１リンクを介し、ユーザ識別コードを前記ユーザデバイスに割り当てるようサーバにアクセスする請求メッセージを取得するステップと、
第２ユーザ識別コードにより前記ユーザデバイスと前記ユーザデバイスの現在所在地の第２移動体通信網間の第２リンクを確立する為、サーバにある実体ＳＩＭカードに対応する第２ユーザ識別コードを、前記請求メッセージにより前記ユーザデバイスに割り当てるステップを含むアクセス方法。
【請求項１０】
前記請求メッセージが、前記ユーザデバイスの位置情報を携帯することと、
前記請求メッセージが前記ユーザデバイスの位置情報を携帯する場合、前記請求メッセージに応じて前記ユーザデバイスに前記第２ユーザ識別コードを割り当て、そのうち、
前記ユーザデバイスの現在所在地のユーザ識別コードである第２ユーザ識別コードを、前記ユーザデバイスの現在所在地情報により前記ユーザデバイスに割り当てるステップを含むことを特徴とする請求項９記載の方法。
【請求項１１】
前記請求メッセージが更に、前記ユーザデバイスの種別情報も携帯することと、
前記請求メッセージが前記ユーザデバイスの種別情報を携帯する場合、前記請求メッセージに応じて前記ユーザデバイスに前記第２ユーザ識別コードを割り当て、そのうち、
前記ユーザデバイスの種別情報により、前記ユーザデバイスに第２ユーザ識別コードを割り当てるステップを更に含むことを特徴とする請求項１０記載の方法。
【請求項１２】
前記ユーザデバイスのアクセス請求に応じた第２移動体通信網から前記ユーザデバイスに送信された認証請求メッセージを取得するステップと、
前記サーバ内の前記実体ＳＩＭカードが前記認証請求メッセージにより決定する認証応答により、前記ユーザデバイスが前記認証応答に応じて前記第２移動体通信網と第２リンクを確立するように、前記認証応答を前記ユーザデバイスに送信するステップを含むことを特徴とする請求項９〜１１の何れか記載の方法。
【請求項１３】
ユーザデバイスと第１移動体通信網との間のリンクである第１リンクを介し、ユーザ識別コードを前記ユーザデバイスに割り当てるようサーバにアクセスする請求メッセージを取得するように構成される第２取得モジュールと、
第２ユーザ識別コードにより前記ユーザデバイスと前記ユーザデバイスの現在所在地の第２移動体通信網間の第２リンクを確立する為、サーバにある実体ＳＩＭカードに対応する第２ユーザ識別コードを、前記請求メッセージにより前記ユーザデバイスに割り当てるように構成される割り当てモジュールを含むことを特徴とするサーバ。
【請求項１４】
第２取得モジュールが前記請求メッセージの携帯したユーザデバイス所在地情報を取得した時に、
前記ユーザデバイスの現在所在地のユーザ識別コードである第２ユーザ識別コードを、前記ユーザデバイスの現在所在地情報により前記ユーザデバイスに割り当てるように構成される割り当てモジュールを含むことを特徴とする請求項１３記載のサーバ。
【請求項１５】
第２取得モジュールが前記請求メッセージの携帯したユーザデバイス種別情報を取得した時に、
前記ユーザデバイスの種別情報により、前記ユーザデバイスに第２ユーザ識別コードを割り当てるように構成される前記割り当てモジュールを含むことを特徴とする請求項１４記載のサーバ。
【請求項１６】
前記ユーザデバイスのアクセス請求に応じた第２移動体通信網から前記ユーザデバイスに送信された認証請求メッセージを取得するように構成される第３取得モジュールと、
前記サーバ内の前記ＳＩＭカードが前記認証請求メッセージにより決定する認証応答により、前記ユーザデバイスが前記認証応答に応じて前記第２移動体通信網と第２リンクを確立するように、前記認証応答を前記ユーザデバイスに送信するように構成される送信モジュールを含むことを特徴とする請求項１３〜１５の何れか記載のサーバ。
【発明の詳細な説明】
【技術分野】
【０００１】
本発明の実施形態は、通信技術分野に関し、特に、アクセス方法、ユーザデバイス及びサーバに関する。
【背景技術】
【０００２】
ユーザが海外でローミングを利用する時の通信サービスは海外の通信事業者により提供されるので、高い国際ローミング料金が発生してしまう。国際間の交流がますます頻繁になるにつれて、高額なローミング料金は国際交流における早急に解決すべき問題となっている。
【０００３】
既存の技術では、ユーザが海外にいる時に、海外現地の通信事業者から直接にユーザ識別モジュール（Ｓｕｂｓｃｒｉｂｅｒ  Ｉｄｅｎｔｉｔｙ  Ｍｏｄｕｌｅ、以下「ＳＩＭカード」と略称する）を購入し、携帯電話のＳＩＭカードを現地ＳＩＭカードに変更し、直接に現地のＳＩＭカードによる通信を利用し、それによって高価な国際ローミング料金を支払うことを避けることが一般である。しかし、ユーザがユーザデバイス（Ｕｓｅｒ  Ｅｑｕｉｐｍｅｎｔ、「ＵＥ」と略称する）のＳＩＭカードを現地ＳＩＭカードに交換すると、元のＳＩＭカードに格納されている個人データを新たに購入した現地のＳＩＭカードに容易に転送することができず、購入されたＳＩＭカードをサポートする地域から離れると、新たに到着した地域のＳＩＭカードを再度購入しなければならず、経費がかかる上、不便である。
【発明の概要】
【発明が解決しようとする課題】
【０００４】
本発明の実施形態は、ユーザがユーザデバイス内のＳＩＭカードを交換することなく、ユーザのローミング料金を低減することができるアクセス方法、ユーザデバイス及びサーバを提供する。
【課題を解決するための手段】
【０００５】
本発明の一実施形態は、第１ユーザ識別コードによりユーザデバイスと第１移動体通信網間の第１リンクを確立するステップと、サーバにある１つの実体ＳＩＭカードに対応し、かつ、ユーザデバイスの現在所在地のユーザ識別コードである第２ユーザ識別コードを、第１リンクを介してユーザデバイスに割り当てるようサーバに請求するステップと、ユーザデバイスに割り当てられた第２ユーザ識別コードを、第１リンクを介してサーバから取得するステップと、第２ユーザ識別コードによりユーザデバイスと現在所在地の第２移動体通信網間の第２リンクを確立するステップを含むことを特徴とするアクセス方法を提供する。
【０００６】
本発明の他の一つの実施形態は、第２ユーザ識別コードによりユーザデバイスと現在所在地の第２移動体通信網間の第２リンクを確立する上、第１リンクを介する下記ステップ、つまり、第２ユーザ識別コードにより第２移動体通信網にアクセス請求を開始するステップと、第２移動体通信網から送信された認証請求メッセージを取得するステップと、サーバ内のＳＩＭカードがアクセス請求情報によりアクセス応答を決定するためにアクセス請求情報をサーバに送信するステップと、サーバから送信された認証応答を取得するステップと、ユーザデバイスと第２移動体通信網との間の第２リンクを確立するために、第２移動体通信網に認証応答を送信するステップと、を含むことを特徴とするアクセス方法を提供する。
【０００７】
本発明の他の一つの実施形態は、第１ユーザ識別コードによりユーザデバイスと第１移動体通信網間の第１リンクを確立するように構成される第１リンク確立モジュールと、第１リンクを介し、サーバにある実体ＳＩＭカードに対応する、前記ユーザデバイスの現在所在地のユーザ識別コードをユーザデバイスに割り当てるようサーバに請求するように構成される請求モジュールと、第１リンクを介してサーバから前記ユーザデバイスに割り当てられた第２ユーザ識別コードを取得するように構成される第１取得モジュールと、第２ユーザ識別コードによりユーザデバイスと現在所在地の第２移動体通信網間の第２リンクを確立するように構成される第２リンク確立モジュールと、を含むことを特徴とするユーザデバイスを提供する。
【０００８】
本発明の他の一つの実施形態は、第１リンクを介して第２ユーザ識別コードにより第２移動体通信網にアクセス請求を開始するように構成される第１アクセス請求部と、第１リンクを介して第２移動体通信網から送信された認証請求メッセージを取得するように構成される第１取得部と、サーバ内の実体ＳＩＭカードが、認証請求メッセージにより認証応答を決定するように、第１リンクを介して認証請求メッセージをサーバに送信するように構成される第１送信部と、第１リンクを介してサーバから送信された認証応答を取得するように構成される第２取得部と、ユーザデバイスと第２移動体通信網間の第２リンクを確立するために、第１リンクを介して第２移動体通信網に認証応答を送信するように構成される第２送信部と、を含むことを特徴とするユーザデバイス、第２リンク確立モジュールを提供する。
【０００９】
本発明の他の一つの実施形態は、ユーザデバイスと第１移動体通信網間のリンクである第１リンクを介し、ユーザ識別コードをユーザデバイスに割り当てるようサーバにアクセスする請求メッセージを取得するステップと、第２ユーザ識別コードによりユーザデバイスとユーザデバイスの現在所在地の第２移動体通信網間の第２リンクを確立する為、サーバにある実体ＳＩＭカードに対応する第２ユーザ識別コードを、請求メッセージによりユーザデバイスに割り当てるステップと、を含むことを特徴とするアクセス方法を提供する。
【００１０】
本発明の他の一つの実施形態は、ユーザデバイスと第１移動体通信網間のリンクである第１リンクを介し、ユーザ識別コードをユーザデバイスに割り当てるようサーバにアクセスする請求メッセージを取得するステップと、第２ユーザ識別コードによりユーザデバイスとユーザデバイスの現在所在地の第２移動体通信網間の第２リンクを確立する為、サーバにある実体ＳＩＭカードに対応する第２ユーザ識別コードを、請求メッセージによりユーザデバイスに割り当てるステップと、を含むことを特徴とするアクセス方法を提供する。
【００１１】
本発明の他の一つの実施形態は、ユーザデバイスと第１移動体通信網間のリンクである第１リンクを介し、ユーザ識別コードをユーザデバイスに割り当てるようサーバにアクセスする請求メッセージを取得するように構成される第２取得モジュールと、第２ユーザ識別コードにより前記ユーザデバイスと前記ユーザデバイスの現在所在地の第２移動体通信網間の第２リンクを確立する為、サーバにある実体ＳＩＭカードに対応する第２ユーザ識別コードを、請求メッセージによりユーザデバイスに割り当てるように構成される割り当てモジュールと、を含むことを特徴とするサーバを提供する。
【００１２】
本発明の他の一つの実施形態はさらに、ユーザデバイスのアクセス請求に応じた第２移動体通信網からユーザデバイスに送信された認証請求メッセージを取得するように構成される第３取得モジュールと、サーバ内のＳＩＭカードが認証請求メッセージにより決定する認証応答により、ユーザデバイスが前記認証応答に応じて第２移動体通信網と第２リンクを確立するように、前記認証応答をユーザデバイスに送信するように構成される送信モジュールと、を含むことを特徴とするサーバを提供する。
【発明の効果】
【００１３】
本発明の一実施形態の提供するアクセス方法、ユーザデバイスとサーバはまず、第１ユーザ識別コードによりユーザデバイスと第１移動体通信網との第１リンクを確立した後、第１リンクを介してユーザデバイスの現在所在地にある現地の第２ユーザ識別コードを取得し、第２ユーザ識別コードによりユーザデバイスと第２移動体通信網との間の第２リンクを確立することにより、ユーザデバイスが現在所在地にある現地の第２ユーザ識別コードを介してローカル無線通信接続を確立することができ、現地のデータ通信量に基づき課金することができるので、ユーザデバイスのＳＩＭカードをユーザが交換することなく、通話およびデータ通信量を容易に低減することができる。
【図面の簡単な説明】
【００１４】
以下、本発明の実施形態または従来技術における技術的な解決手段をより明確に説明するため、実施形態または従来技術の図面について簡単に説明する。明らかなことは、以下の図面が本発明のいくつかの実施形態のみであり、勿論、それにより本発明の権利範囲を制限することはできないものとする。明言することとして、同技術分野の当業者は、本発明の原理を逸脱しない前提で、創造的な作業を行わなくても、これらの図面に基づいて他の図面を得ることができる。
【００１５】
【図１】本発明によるアクセス方法の一実施形態のフローチャートである。
【図２】本発明によるアクセス方法のもう一つの実施形態のフローチャートである。
【図３】本発明によるアクセス方法のもう一つの実施形態のフローチャートである。
【図４】本発明によるアクセスデバイスの一実施形態の構成略図である。
【図５】本発明によるアクセスデバイスのもう一つの実施形態の構成略図である。
【図６】本発明によるアクセスデバイスのもう一つの実施形態の構成略図である。
【図７】本発明によるアクセス方法の一実施形態のフローチャートである。
【図８】本発明によるアクセス方法のもう一つの実施形態のフローチャートである。
【図９】本発明によるアクセスデバイスの一実施形態の構成略図である。
【図１０】本発明によるアクセスデバイスのもう一つの実施形態の構成略図である。
【図１１】本発明によるアクセス方法の信号交信図である。
【発明を実施するための形態】
【００１６】
本発明の実施形態の目的、技術的な解決手段及び利点をより明確にするために、以下、本発明の実施形態の図面を合わせ、本発明の実施形態における技術的な解決手段を明確かつ完全に説明する。明らかなことは、記載された実施形態が全ての実施形態ではなく、本発明の一部の実施形態であることは言うまでもない。本発明の実施形態に基づき、本分野の当業者は、創造的な作業をしなかった前提で得られたいかなる他の実施形態が、本発明の趣旨、範囲及び内容に含まれると見なされるものとする。
【００１７】
本発明の実施形態におけるユーザデバイスとは、ユーザに音声やデータの接続性を提供する装置、無線接続機能を有する携帯型デバイス、あるいは無線変復調器に接続する他の装置を指す。ユーザデバイスは、例えば、携帯電話、移動体アクセスデバイス、およびモバイル端末を有する計算機などのモバイル端末、携帯型、小型、ハンド型、計算機内蔵型、あるいは車載型の移動体デバイス、携帯型広帯域無線デバイスなどの無線アクセスネットワークと言語および／またはデータを交信し、無線アクセスネットワーク（例えばＲＡＮ、Ｒａｄｉｏ  Ａｃｃｅｓｓ  Ｎｅｔｗｏｒｋ）を介して１つまたは複数のコアネットワークと通信することができる。例えば、ユーザデバイスは、パーソナル通信サービス（ＰＣＳ，Ｐｅｒｓｏｎａｌ  Ｃｏｍｍｕｎｉｃａｔｉｏｎ  Ｓｅｒｖｉｃｅ）の電話、コードレス電話、セッション開始プロトコル（ＳＩＰ）電話機、無線ローカルループ局（ＷＬＬ，Ｗｉｒｅｌｅｓｓ  Ｌｏｃａｌ  Ｌｏｏｐ）、パーソナルデジタル・アシスタント（ＰＤＡ，Ｐｅｒｓｏｎａｌ  Ｄｉｇｉｔａｌ  Ａｓｓｉｓｔａｎｔ）などを備える機器であってもよい。ユーザデバイスは、システム、加入者ユニット、加入者局、移動局、遠隔局、アクセスポイント、遠隔端末、アクセス端末、ユーザ端末、ユーザエージェント、ユーザデバイス、あるいはユーザ装備とも呼ばれる。
【００１８】
また、「システム」と「ネットワーク（網）」という用語は、本願では交換して使用することができる。用語の「及び／又は」は単に３つの関わりを表す。例えば、Ａ及び／又はＢは、Ａが単独で存在すること、Ａ及びＢが同時に存在すること、並びにＢが単独で存在することという３つの状況を表すことができる。また、本願の中国語記号「／」は一般的に、前後の言葉は「または」という関係であることを示す。本発明の実施形態において、第１、第２などの表現は、区別のためのものであり、順序を示すものではない。例えば、「第１ユーザ識別コード」と「第２ユーザ識別コード」の第１、第２は、異なった２つのユーザ識別コードを区別するためのものだけであり、サーバからユーザ識別コードを割り当てる請求をユーザデバイスから送信する場合、「ユーザ識別コード」の前に「第２」という連体修飾語が付けられない。
【００１９】
図１は本発明によるアクセス方法の一実施形態のフローチャートである。図１に示すように、本発明の一実施形態のアクセス方法は、以下のステップを含む。
ステップ１１０は第１ユーザ識別コードによりユーザデバイスと第１移動体通信網間の第１リンクを確立すること。
【００２０】
本発明の実施形態において、ユーザ識別コードとは具体的に、国際移動体ユーザ識別コード（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）を意味する。ユーザ識別コードはＳＩＭカードに格納され、ユーザデバイスを識別する有効な情報を含み、ユーザデバイスを識別するためのフラグである。
【００２１】
本発明の実施形態では、移動体通信網は、既存の２Ｇ、３Ｇ通信システムと次世代通信システムなどのグローバル移動体通信（ＧＳＭ，Ｇｌｏｂａｌ  Ｓｙｓｔｅｍ  ｆｏｒ  Ｍｏｂｉｌｅ  ｃｏｍｍｕｎｉｃａｔｉｏｎ）システム、符号分割多元接続（ＣＤＭＡ，Ｃｏｄｅ  Ｄｉｖｉｓｉｏｎ  Ｍｕｌｔｉｐｌｅ  Ａｃｃｅｓｓ）システム、時分割多元接続（ＴＤＭＡ，Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ(登録商標)，Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）システム、周波数分割多元接続（ＦＤＭＡ，Ｆｒｅｑｕｅｎｃｙ  Ｄｉｖｉｓｉｏｎ  Ｍｕｌｔｉｐｌｅ  Ａｃｃｅｓｓ）システム、直交周波数分割多元接続ＯＦＤＭＡ，Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、汎用パケット無線システム（ＧＰＲＳ，Ｇｅｎｅｒａｌ  Ｐａｃｋｅｔ  Ｒａｄｉｏ  Ｓｅｒｖｉｃｅ）システム、汎用移動体通信ＵＭＴＳ（Ｕｎｉｖｅｒｓａｌ  Ｍｏｂｉｌｅ  Ｔｅｌｅｃｏｍｍｕｎｉｃａｔｉｏｎｓ）システム、ロング・ターム・エヴォリューション（ＬＴＥ，Ｌｏｎｇ  Ｔｅｒｍ  Ｅｖｏｌｕｔｉｏｎ）システムなど、様々な通信システム、例えば、様々なセルラーネットワークを含む。
【００２２】
ユーザデバイスは、移動体通信網にアクセスしようとすると、ユーザ識別コードを利用する必要がある。ユーザ識別コードは、移動体ユーザが属する国の国番号（ＭＣＣ）を含み、ユーザデバイスがユーザ識別コードの国番号に対応する国で通信を行う場合、すなわち、ユーザデバイスの位置する国がユーザ識別コードで対応するものであり、ユーザの位置する国がユーザ識別コードの国番号に一致する場合には、国際ローミング料金は発生しない。一方、ユーザの所在国とユーザ識別コードの国番号が一致しない場合には、通信時に国際ローミング料金は発生する。
【００２３】
同ステップでは、ユーザ識別コードのバインドした第１ユーザ識別コードによりユーザデバイスと第１移動体通信網間の第１リンクを確立する。本発明の実施形態に言及するバインディングは、例えばＳＩＭカードをユーザデバイスに挿入するようなハードウェア実体の電気的結合であってもよいことが理解できる。同ステップにおけるリンク確立の過程は、従来技術のリンク確立過程による実現ができ、本発明の実施形態にこれに限定されるものではない。なお、本発明においてユーザデバイスと第１移動体通信網との間の第１リンクを確立するには、ユーザデバイスと第１移動体通信との間のデータチャネルをオンにしてデータ接続を確立し、その後、ユーザデバイスが第１リンクを介してデータ伝送を行うことで可能である。
【００２４】
ステップ１２０は、第１リンクを介し、サーバにある実体ＳＩＭカードに対応する、ユーザデバイスの現在所在地のユーザ識別コードをユーザデバイスに割り当てるようサーバに請求する。同ステップでは、ユーザデバイスは、第１移動体通信網との間に確立された第１リンクを介してサーバに請求情報を送信し、サーバにユーザデバイスの現在所在地にある現地のユーザ識別コードであるユーザ識別コードをユーザデバイスに割り当てることを請求する。
【００２５】
なお、請求サービスからユーザデバイスに割り当てるユーザ識別コードと、ユーザデバイスが現在使用している第１ユーザ識別コードとは異なるため、２つのユーザ識別コードの違いを表す「第２」で区別しているが、ユーザデバイスが請求を送信する際には、サーバに第２ユーザ識別コードの割り当てを請求する必要はなく、サーバからのユーザ識別コードの割り当てを請求すればよい。申請ファイルに第２ユーザ識別コードに言及する際には、現在使用しているユーザ識別コードと異なったユーザ識別コードをサーバからユーザデバイスに割り当てることだけを指す。
【００２６】
サーバにある複数の実体ＳＩＭカードはそれぞれ唯一のユーザ識別コードに対応する。ユーザデバイスが第１リンクを介してユーザデバイスにユーザ識別コードを割り当てることをサーバに請求する場合、当該割り当てられたユーザ識別コードの国番号（ＭＣＣ）が、ユーザデバイスの現在所在地の国番号と一致してもよい。当該ユーザデバイスの現在所在地の位置情報がサーバへの送信情報に持たれることができる。ユーザデバイスの位置情報には、第１ユーザ識別コードを介して登録に成功したＭＣＣ（Ｍｏｂｉｌｅ  Ｃｏｕｎｔｒｙ  Ｃｏｄｅ、移動体国番号）またはＭＮＣ（Ｍｏｂｉｌｅ  Ｎｅｔｗｏｒｋ  Ｃｏｄｅ、モバイルネットワーク番号を含んでもよい。あるいは、サーバに、ユーザデバイスの現在所在地の国番号と一致するユーザ識別コードがない場合には、当該割り当てられたユーザ識別コードの国番号の示す国は、ユーザの現在所在国の地理的に最も近いまたはより近い国であり、若しくはローミング料金が最も低いまたはより低い国であってもよい。
【００２７】
ステップ１３０は、第１リンク取得サーバを介して割り当てられた第２ユーザ識別コードを取得する。同ステップでは、ユーザデバイスは、サーバから送信された情報を、第１リンクを介して受信し、サーバが割り当てた第２ユーザ識別コードを取得する。当該第２ユーザ識別コードは、ユーザデバイスが現在所在国のユーザ識別コードで、すなわち、第２ユーザ識別コードの国番号がユーザデバイスの現在所在国に対応していてもよい。
【００２８】
ステップ１４０は第２ユーザ識別コードによりユーザデバイスと現在所在地の第２移動体通信網間の第２リンクを確立する。
【００２９】
ユーザデバイスは、ユーザデバイスの現在所在地の第２ユーザ識別コードを取得すると、当該第２ユーザ識別コードを介してユーザデバイスと現在所在地の第２移動体通信網との第２リンクを確立する。同ステップにおける第２移動体通信網は、ＧＳＭ（登録商標）、ＵＭＴＳ、ＬＴＥ、または他の将来仕様のセルラ移動体通信網のいずれであってもよく、また、ユーザデバイスとの間で第２リンクを行う第２移動体通信網は、ユーザデバイスとの間で第１リンクを行う第１移動体通信網と一致していてもよく、例えば、第１移動体通信網および第２移動体通信網の両方ともＵＭＴＳ移動体通信網であってもよく、両方ともＧＳＭ移動体通信網であってもよく、両方ともＬＴＥ移動体通信網であってもよいことが理解できる。第１移動体通信網と第２移動体通信網とは、仕様の異なる移動体通信網であってもよい。すなわち、第１移動体通信網と第２移動体通信網とは、前記移動体通信網の任意の組合せでもあってよい。本発明はこれに限定されない。
【００３０】
ユーザデバイスが第２ユーザ識別コードにより確立した第２リンク、すなわち、ユーザデバイスの現在所在地のローカルリンクを介する通信を行うことができる。
【００３１】
本発明の一実施形態は、まず、第１ユーザ識別コードによりユーザデバイスと第１移動体通信網との第１リンクを確立した後、第１リンクを介してユーザデバイスの現在所在地にある現地の第２ユーザ識別コードを取得し、第２ユーザ識別コードによりユーザデバイスと第２移動体通信網との間の第２リンクを確立することにより、ユーザデバイスが現在所在地にある現地の第２ユーザ識別コードを介してローカル無線通信接続を確立することができ、現地のデータ通信量に基づき課金することができるので、ユーザデバイスのＳＩＭカードをユーザが交換することなく、通話およびデータ通信量を容易に低減することができる。
【００３２】
図２は本発明によるアクセス方法の一つの実施形態のフローチャートである。図２に示すように、本発明の一実施形態のアクセス方法は、以下のステップを含む。
【００３３】
ステップ２１０は、第１ユーザ識別コードによりユーザデバイスと第１移動体通信網間の第１リンクを確立する。同ステップでは、第１ユーザ識別コードによりユーザデバイスと第１移動体通信網間の第１リンクを確立する。具体的には、操作の実行について図１に対応する実施形態ステップ１１０を参照されたい。
【００３４】
ステップ２２０は、第１リンクを介し、サーバにある実体ＳＩＭカードに対応する、ユーザデバイスの現在所在地のユーザ識別コードをユーザデバイスに割り当てるようサーバに請求する。
【００３５】
同ステップでは、第１リンクを介し、サーバにある実体ＳＩＭカードに対応する、ユーザデバイスの現在所在地のユーザ識別コードをユーザデバイスに割り当てるようサーバに請求する。具体的には、操作の実行について図１に対応する実施形態ステップ１２０を参照されたい。
【００３６】
ステップ２３０は、第１リンクを介してサーバから割り当てられた第２ユーザ識別コードを取得する。同ステップでは、ユーザデバイスが第１ユーザ識別コードにより確立した第１リンクを介してサーバから割り当てられた第２ユーザ識別コードを取得する。
【００３７】
第１リンクが確立された後、ユーザデバイスは第１リンクを介する通信を行うことができ、本発明の実施形態のステップ２３０、ステップ２４０、ステップ２５０、およびステップ２６０はいずれも、ユーザデバイスの確立した第１リンクを介して行うことができることとして理解してもよい。また、ユーザデバイスは、取得した第２ユーザ識別コードを保存ことができることとして理解できる。
【００３８】
ステップ２４０は、第１リンクを介して第２ユーザ識別コードにより第２移動体通信網にアクセス請求を開始する。
【００３９】
ユーザデバイスは、ユーザデバイスの第１ユーザ識別コードにより確立された第１リンクを介し、第２ユーザ識別コードにより第２移動体通信網にアクセス請求を開始する。同ステップでは、ベースバンド部、ＲＦ部、ＳＩＭカードモジュールなどユーザデバイス内の関係モジュールを介し、第２ユーザ識別コードにより第２移動体通信網に、アクセス請求を開始する。
【００４０】
ステップ２５０は、第１リンクを介し、第２移動体通信網から送信された認証請求メッセージを取得する。
【００４１】
第２移動体通信網から送信された認証請求メッセージを、ユーザデバイスの第１ユーザ識別コードにより確立された第１リンクを介して取得する。ネットワーク側は、端末側からのアクセス請求を受信すると、端末側に認証請求メッセージを送信する。認証請求メッセージにはＲＡＮＤなどの認証パラメータを有してもよい。認証請求メッセージにおける具体的なパラメータは、異なる仕様の移動体通信網のプロトコルにより決定されてもよく、本発明はこれに限定されるものではない。同ステップでは、ユーザデバイスは、第２移動体通信網のネットワーク側から送信された認証請求メッセージを取得する。
【００４２】
ステップ２６０は、サーバ内のＳＩＭカードが、認証請求メッセージにより認証応答を決定するように、第１リンクを介して認証請求メッセージをサーバに送信する。
【００４３】
本発明の実施形態では、ユーザデバイスがネットワーク側から送信された認証請求パラメータを受信した後、ＳＩＭカード認証回路によって認証応答が算出されることが理解できる。本発明では、第２ユーザ識別コードがサーバ内の１つの実体ＳＩＭカードと一意に対応するため、同ステップでは、ユーザデバイスは、第１ユーザ識別コードにより確立された第１リンクを介し、第２移動体通信網のネットワーク側から取得した認証請求メッセージをサーバに送信し、サーバ内の実体ＳＩＭカードの認証回路が認証請求メッセージ内のパラメータにより認証応答を算出する。
【００４４】
ステップ２７０は、第１リンクを介してサーバから送信された認証応答を取得する。同ステップでは、ユーザデバイスは、第１ユーザ識別コードにより確立された第１リンクを介し、シンボル応答パラメータ（Ｓｉｇｎ  Ｒｅｓｐｏｎｓｅ，ＳＲＥＳ）など、サーバから送信された認証応答を取得する。異なる仕様の移動体通信網は、その認証の具体的なパラメータが従来技術のプロトコルに従い、本発明は認証の具体的なパラメータ及び具体的な信号を限定しない。なお、ここの認証応答は、サービス内の実体ＳＩＭカードの認証回路が、ユーザデバイスの転送する第２移動体通信網からの認証請求メッセージにあるパラメータに基づいた計算で決定される。
【００４５】
ステップ２８０では、ユーザデバイスと第２移動通信網間の第２リンクを確立するために、第１リンクを介して第２移動通信網に認証応答を送信する。同ステップでは、ユーザデバイスは、ステップ２７０で取得した認証応答を第１ユーザ識別コードにより確立された第１リンクを介して第２移動体通信網に送信し、第２移動体通信網のネットワーク側で前記認証応答を受信した後、ユーザデバイスと第２移動体通信網との間の第２リンク、すなわちユーザデバイスの所在地ローカルリンクを確立する。
【００４６】
なお、この認証応答は、サーバ内の実体ＳＩＭカード認証回路の計算によって決定される。本発明の実施形態において、認証パラメータの算出方法が従来のプロトコルや他の従来技術により実現することができ、本発明で限定するものではない。
【００４７】
本発明の一実施形態では、ユーザデバイスは、第１ユーザ識別コードにより確立された第１リンクを介し、第２ユーザ識別コードにより第２移動体通信網にアクセス請求を開始し、前記第１リンクを介してネットワーク側から送信された認証パラメータをサーバに送信し、サーバから取得した認証応答をネットワーク側に送信して第２リンクを確立することにより、ユーザデバイスは、ローミングしている第１リンクを介して少ないデータを送受信してローカル第２リンクを確立するだけで、ローカルな第２リンクを介して直接通信を行うことができるので、国際通信におけるローミング料金を大幅に低減することができる上、第２リンクがユーザデバイスの所在地のローカルリンクであるため、通信の質がさらに向上する。これにより、本発明の実施形態は、ローミング料金の低減と通信の質向上を両立し、コストを低減するとともに、ユーザの体験が向上する。
【００４８】
図３は、本発明によるアクセス方法のもう一つの実施形態のフローチャートである。図３に示すように、本発明の一実施形態のアクセス方法は、以下のステップを含む。
【００４９】
ステップ３１０は、第１ユーザ識別コードによりユーザデバイスと第１移動体通信網間の第１リンクを確立する。
【００５０】
同ステップでは、第１ユーザ識別コードによりユーザデバイスと第１移動体通信網間の第１リンクを確立する。具体的には、操作の実行について図１に対応する実施形態ステップ１１０を参照されたい。
【００５１】
ステップ３２０は、第１リンクを介し、サーバにある実体ＳＩＭカードに対応する、ユーザデバイスの現在所在地のユーザ識別コードをユーザデバイスに割り当てるようサーバに請求する。同ステップでは、第１リンクを介し、サーバにある実体ＳＩＭカードに対応する、ユーザデバイスの現在所在地のユーザ識別コードをユーザデバイスに割り当てるようサーバに請求する。具体的には、操作の実行について図１に対応する実施形態ステップ１２０を参照されたい。
【００５２】
ステップ３３０は、第１リンクを介してサーバから割り当てられた第２ユーザ識別コードを取得すること。同ステップでは、第１リンクを介してサーバから割り当てられた第２ユーザ識別コードを取得する。具体的には、操作の実行について図１に対応する実施形態ステップ１３０を参照されたい。
【００５３】
ステップ３４０は、第２ユーザ識別コードによりユーザデバイスと現在所在地の第２移動体通信網間の第２リンクを確立する。同ステップでは、第２ユーザ識別コードによりユーザデバイスと現在所在地の第２移動体通信網との第２リンクを確立する。具体的には、操作の実行について図１に対応する実施形態ステップ１４０を参照されたい。
【００５４】
ステップ３５０は、ユーザデバイスと第１移動体通信網との間の第１リンクを解放する。同ステップでは、ユーザデバイスと第１移動体通信網との間の第１リンクを解放する。例えば、第２リンクが確立された後、第１リンクのデータチャネルをオフにする。
【００５５】
本発明の実施形態では、ユーザデバイスが第２ユーザ識別コードにより第２移動体通信網とローカル無線リンク、すなわち第２リンクを確立すると、ユーザデバイスはローカル通信を開始することができ、このとき、第１ユーザ識別コードにより確立されたユーザデバイスと第１移動体通信網との間の第１リンクを解放し、国際ローミング料金を節約することができる。
【００５６】
更に、第１ユーザ識別コードによりユーザデバイスと第１移動体通信網間の第１リンクを確立するステップは下記のようになる。第１ユーザ識別コードにより第１移動体通信網にアクセス請求を開始するステップを含む。
【００５７】
ここで、第１ユーザ識別コードにより第１移動体通信網に開始するアクセス請求は、国際ローミングのアクセス請求であり、従来技術や既存プロトコルに従うことができる。第１移動体通信網から送信された認証請求を取得するステップを含む。
【００５８】
ユーザデバイスは、ユーザデバイスが第１ユーザ識別コードに対応するＳＩＭカードの認証回路をバインドし、認証請求のパラメータにより認証計算を行う為、第１移動体通信網から送信された認証請求を直接取得して保持することができる。プリセット規則及び取得した認証請求により第１移動体通信網に認証応答を送信し第１リンクを確立する。
【００５９】
同ステップでは、プリセット規則及び取得した認証請求により第１移動体通信網に認証応答を送信し第１リンクを確立する。具体的には、異なる仕様の移動体通信網の規定により認証応答を算出し送信して第１リンクを確立する。
【００６０】
ユーザデバイスを介してバインドしている第１ユーザ識別コードに対応するＳＩＭカードを介してユーザデバイスと第１移動体通信網との間に第１リンクを確立することにより、第１リンクを介してローカルな第２リンクを確立することができ、ユーザデバイスの現在所在地でのローカル通話を実現することができる。さらに、本発明の一実施形態のアクセス方法は、第１リンクを介するサーバとの通信を含む。
【００６１】
具体的には、サーバから割り当てられた第２ユーザ識別コードを受信し、関連する認証パラメータを送受信し、第２リンクを確立してローカル通話を実現し、ローミング料金を低減する為、ユーザデバイスにおいて第１ユーザ識別コードにより第１リンクが確立された後、第１リンクを介してサーバにリンクする。さらに、本発明の一実施形態のアクセス方法は、ユーザデバイスが第１ユーザデバイスと無線ＬＡＮネットワーク接続を確立することを含む。
【００６２】
本実施形態では、ユーザデバイスは、移動体通信信号をＷＩＦＩ信号に変換することができる。例えば、第２移動体通信網が３Ｇネットワークである場合、ユーザデバイスは、３Ｇ信号をＷＩＦＩ信号に変換し、ユーザデバイスは、ＷＩＦＩ信号を介してユーザデバイスと通信可能な第１ユーザデバイスと無線局ＬＡＮネットワーク接続を確立することができる。
【００６３】
図４は本発明によるアクセスデバイスの一実施形態の構成略図である。図４に示すように、本発明の一実施形態に係るユーザデバイスは、第１リンク確立モジュール４１０と、請求モジュール４２０と、第１取得モジュール４３０と、第２リンク確立モジュール４４０を備え、それぞれ下記のようになる。
【００６４】
第１ユーザ識別コードによりユーザデバイスと第１移動体通信網間の第１リンクを確立するように構成される第１リンク確立モジュール４１０を含み、第１リンク確立モジュール４１０がユーザデバイスのバインドしている第１ユーザ識別コードにより第１移動体通信網間の第１リンクを確立する。ここで、第１リンク確立モジュールは、ユーザデバイスのベースバンド処理部と、ＲＦ回路と、第１ユーザ識別コードに対応するＳＩＭカードモジュールとを含むことができる。本発明の実施形態に言及するバインディングは、例えばＳＩＭカードをユーザデバイスに挿入するようなハードウェア実体の電気的結合であってもよいことが理解できる。第１リンク確立モジュールによりユーザデバイスと第１移動体通信網との間の第１リンクを確立するには、ユーザデバイスと第１移動体通信との間のデータチャネルを開いてデータ接続を確立し、その後、ユーザデバイスが第１リンクを介してデータ伝送を行うことができる。
【００６５】
第１リンクを介し、サーバにある実体ＳＩＭカードに対応する、ユーザデバイスの現在所在地のユーザ識別コードをユーザデバイスに割り当てるようサーバに請求するように構成される請求モジュール４２０を含む。
【００６６】
請求モジュール４２０は、第１移動体通信網との間に確立された第１リンクを介してサーバに請求情報を送信し、サーバにユーザデバイスの現在所在地にある現地のユーザ識別コードであるユーザ識別コードをユーザデバイスに割り当てることを請求する。
【００６７】
第１リンクを介し、サーバから割り当てられた第２ユーザ識別コードを取得するように構成される第１取得モジュール４３０を含み、第１取得モジュール４３０は、サーバから送信された情報を、第１リンクを介して受信し、サーバが割り当てた第２ユーザ識別コードを取得する。当該第２ユーザ識別コードは、ユーザデバイスが現在所在国のユーザ識別コードで、すなわち、割り当てられた第２ユーザ識別コードの国番号がユーザデバイスの現在所在国に対応していてもよい。
【００６８】
第２ユーザ識別コードによりユーザデバイスと現在所在地の第２移動体通信網間の第２リンクを確立するように構成される第２リンク確立モジュール４４０を含み、第１取得モジュール４３０は、ユーザデバイスの現在所在地の第２ユーザ識別コードを取得すると、第２リンク確立モジュール４４０が当該第２ユーザ識別コードを介してユーザデバイスと現在所在地の第２移動体通信網との第２リンクを確立する。
【００６９】
本発明の一実施形態は、第１リンク確立モジュールが第１ユーザ識別コードによりユーザデバイスと第１移動体通信網との第１リンクを確立した後、第１取得モジュールが第１リンクを介してユーザデバイスの現在所在地にある現地の第２ユーザ識別コードを取得し、第２リンク確立モジュールが第２ユーザ識別コードによりユーザデバイスと第２移動体通信網との間の第２リンクを確立する。本発明の一実施形態によりユーザデバイスが現在所在地にある現地の第２ユーザ識別コードを介してローカル無線通信接続を確立することができ、現地のデータ通信量に基づき課金することができるので、ユーザデバイスのＳＩＭカードをユーザが交換することなく、通話およびデータ通信量を容易に低減することができる。
【００７０】
図５は、本発明によるアクセスデバイスの他の一つの実施形態の構成略図である。図５に示すように、本発明の実施形態のユーザデバイスは、第１リンク確立モジュール４１０と、請求モジュール４２０と、第１取得モジュール４３０と、第２リンク確立モジュール４４０を備え、そのうち第１リンク確立モジュール４１０と、請求モジュール４２０と、第１取得モジュール４３０との具体的な動作ステップは、図４に対応する実施形態の関連モジュールを参照することができる。さらに、第２リンク確立モジュール４４０は、下記のようになる。
【００７１】
第１リンクを介して第２ユーザ識別コードにより第２移動体通信網にアクセス請求を開始するように構成される第１アクセス請求部４４１を含み、ユーザデバイスの第１アクセス請求部４４１は、ユーザデバイスの第１ユーザ識別コードにより確立された第１リンクを介し、第２ユーザ識別コードにより第２移動体通信網にアクセス請求を開始する。具体的には、ユーザデバイス内のベースバンド処理部を含むことができる。第１リンクを介して第２移動体通信網から送信された認証請求メッセージを取得するように構成される第１取得部４４２を含む。
【００７２】
ユーザデバイスの第１アクセス請求部４４１は、第２移動体通信網から送信された認証請求メッセージを、ユーザデバイスの第１ユーザ識別コードにより確立された第１リンクを介して取得する。ネットワーク側は、端末側からのアクセス請求を受信すると、端末側に認証請求メッセージを送信する。認証請求メッセージにはＲＡＮＤなどの認証パラメータを有してもよい。認証請求メッセージにおける具体的なパラメータは、異なる仕様の移動体通信網のプロトコルにより決定されてもよく、本発明はこれに限定されるものではない。ユーザデバイスの第１取得部４４２は、第２移動体通信網が第１リンクを介して送信した認証請求メッセージを取得する。
【００７３】
第１送信部４４３は、サーバ内のＳＩＭカードが、認証請求メッセージにより認証応答を決定するように、第１リンクを介して認証請求メッセージをサーバに送信するように構成される。
【００７４】
ユーザデバイスがネットワーク側から送信された認証請求パラメータを受信した後、ＳＩＭカード認証回路によって認証応答が算出されることが理解できる。本発明では、第２ユーザ識別コードはサーバ内のＳＩＭカードがプリセット規則に基づきユーザデバイスに割り当てられたので、ユーザデバイスの第１送信部は、第１ユーザ識別コードにより確立された第１リンクを介し、第２移動体通信網のネットワーク側から取得した認証請求メッセージをサーバに送信し、サーバ内の実体ＳＩＭカードの認証回路が認証請求メッセージ内のパラメータにより認証応答を算出する。
【００７５】
第２取得部４４４は、第１リンクを介してサーバから送信された認証応答を取得するように構成される。ユーザデバイスの第２取得部４４４は、第１ユーザ識別コードにより確立された第１リンクを介して、サーバから送信された認証応答、例えばパラメータＳＲＥＳを取得する。なお、ここの認証応答は、サービス内の実体ＳＩＭカードの認証回路が、ユーザデバイスの転送する第２移動体通信網からの認証請求メッセージにあるパラメータに基づいた計算で決定される。
【００７６】
第２送信部４４５は、ユーザデバイスと第２移動体通信網間の第２リンクを確立するために、第１リンクを介して第２移動体通信網に認証応答を送信するように構成される。
【００７７】
ユーザデバイスの第２送信部４４５は、第２取得部４４４が取得した認証応答を、第１ユーザ識別コードにより確立された第１リンクを介して第２移動体通信網に送信し、第２移動体通信網のネットワーク側で認証応答を受信した後、ユーザデバイスと第２移動体通信網との間の第２リンク、すなわちユーザデバイスの所在地ローカルリンクを確立する。なお、この認証応答は、サーバ内の実体ＳＩＭカード認証回路の計算によって決定される。本発明の実施形態において、認証パラメータの算出方法が従来のプロトコルや他の従来技術により実現することができ、本発明で限定するものではない。
【００７８】
本発明の一実施形態では、ユーザデバイスは、第１ユーザ識別コードにより確立された第１リンクを介し、第２ユーザ識別コードにより第２移動体通信網にアクセス請求を開始し、前記第１リンクを介してネットワーク側から送信された認証パラメータをサーバに送信し、サーバから取得した認証応答をネットワーク側に送信して第２リンクを確立することにより、ユーザデバイスは、ローミングしている第１リンクを介して少ないデータを送受信してローカル第２リンクを確立するだけで、ローカルな第２リンクを介して直接通信を行うことができるので、国際通信におけるローミング料金を大幅に低減することができる上、第２リンクがユーザデバイスの所在地のローカルリンクであるため、通信の質がさらに向上する。これにより、本発明の実施形態は、ローミング料金の低減と通信の質向上を両立し、コストを低減するとともに、ユーザの体験が向上する。
【００７９】
図６は本発明によるアクセスデバイスのもう一つの実施形態の構成略図である。図６に示すように、本発明の実施形態のユーザデバイスは、第１リンク確立モジュール４１０と、請求モジュール４２０と、第１取得モジュール４３０と、第２リンク確立モジュール４４０を備え、そのうち第１リンク確立モジュール４１０と、請求モジュール４２０と、第１取得モジュール４３０と第１取得モジュール４３０の具体的な動作は、図４に対応する実施形態の関連モジュールを参照することができる。さらに、アクセスデバイスは下記のようになる。
【００８０】
ユーザデバイスと第１移動体通信網との間第１リンクを解放するように構成されるリンク解放モジュール４６０を含み、リンク解放モジュール４６０は、ユーザデバイスと第１移動体通信網との間の第１リンクを解放し、例えば、第２リンクが確立されたことを確認した後に、第１リンクのデータチャネルを閉じる。
【００８１】
更に、本発明の実施形態のユーザデバイスにおける第１リンク確立モジュールは下記のようになる。第１ユーザ識別コードにより第１移動体通信網にアクセス請求を開始するように構成される第２アクセス請求部を含み、第２アクセス請求部は、第１ユーザ識別コードにより第１移動体通信網に開始するアクセス請求は、国際ローミングのアクセス請求であり、従来技術や既存プロトコルに従うことができる。
【００８２】
第１移動体通信網から送信された認証請求を取得するように構成される第３取得部を含み、第３取得部は、ユーザデバイスが第１ユーザ識別コードに対応するＳＩＭカードの認証回路をバインドし、認証請求のパラメータにより認証計算を行う為、第１移動体通信網から送信された認証請求を直接取得して保持することができる。
【００８３】
第３送信部は、プリセット規則及び取得した認証請求により第１移動体通信網に認証応答を送信し第１リンクを確立するように構成される。
【００８４】
第３送信部は、プリセット規則及び取得した認証請求により第１移動体通信網に認証応答を送信し第１リンクを確立する。具体的には、異なる仕様の移動体通信網の規定により認証応答を行い送信して第１リンクを確立する。
【００８５】
ユーザデバイスを介してバインドしている第１ユーザ識別コードに対応するＳＩＭカードを介してユーザデバイスと第１移動体通信網との間に第１リンクを確立することにより、第１リンクを介してローカルな第２リンクを確立することができ、ユーザデバイスの現在所在地でのローカル通話を実現することができる。
【００８６】
更に、本発明の実施形態のユーザデバイスは、第１リンクを介してサーバと通信を行うための第１通信モジュールを備える。
【００８７】
サーバから割り当てられた第２ユーザ識別コードを受信し、関連する認証パラメータを送受信し、第２リンクを確立してローカル通話を実現し、ローミング料金を低減する為、ユーザデバイスにおいて第１ユーザ識別コードにより第１リンクが確立された後、第１通信モジュールが第１リンクを介してサーバにリンクする。更に、本発明の実施形態のユーザデバイスは下記のようになる。
【００８８】
第１ユーザデバイスが第２ユーザ識別コード情報を介する通信を行う為、第１ユーザデバイスと無線ＬＡＮネットワーク接続を確立するように構成される第２通信モジュールを含む。
【００８９】
第２移動体通信網が３Ｇネットワークである場合、本実施形態の発明したユーザデバイスは、３Ｇ信号をＷＩＦＩ信号に変換し、ユーザデバイスは、ＷＩＦＩ信号を介してユーザデバイスと通信可能な第１ユーザデバイスと無線局ＬＡＮネットワーク接続を確立することができる。ここでの第１ユーザデバイスは、１つまたは複数であってもよい。
【００９０】
図７は本発明によるアクセス方法の一実施形態のフローチャートである。図７に示すように、本発明の一実施形態のアクセス方法は、以下のステップを含む。
【００９１】
ステップ７１０は、ユーザデバイスと第１移動体通信網間のリンクである第１リンクを介し、ユーザ識別コードをユーザデバイスに割り当てるようサーバにアクセスする請求メッセージを取得すること。
【００９２】
ユーザデバイスは、第１ユーザ識別コードにより第１移動体通信網との第１リンクを確立した後、サーバとの接続を確立することができる。同ステップでは、サーバは、第１リンクを介してユーザデバイスの請求メッセージを取得し、請求メッセージは、ユーザ識別コードをユーザデバイスに割り当てるようサーバにアクセスする。サーバは、請求メッセージにおいて、ユーザデバイスが第１ユーザ識別コードにより登録に成功したときに取得した移動体通信網のＭＣＣ（Ｍｏｂｉｌｅ  Ｃｏｕｎｔｒｙ  Ｃｏｄｅ，移動体国番号）またはＭＮＣ  ＭＮＣ（Ｍｏｂｉｌｅ  Ｎｅｔｗｏｒｋ  Ｃｏｄｅ，移動体通信網番号）などのユーザデバイスの現在所在地の情報を取得することができると理解できる。
【００９３】
ステップ７２０は、第２ユーザ識別コードによりユーザデバイスとユーザデバイスの現在所在地の第２移動体通信網間の第２リンクを確立する為、サーバにある実体ＳＩＭカードに対応する第２ユーザ識別コードを、請求メッセージによりユーザデバイスに割り当てること。
【００９４】
サーバに複数の実体ＳＩＭカードがあり、それぞれ唯一のユーザ識別コードと一意に対応することができるとして理解できる。サーバは、受信した請求メッセージによりユーザデバイスに第２ユーザ識別コードを割り当てることができ、例えば、サーバは、請求メッセージ内のユーザデバイスの現在所在地に基づきユーザデバイスに第２ユーザ識別コードを割り当てることができ、ユーザデバイスは、第２ユーザ識別コードにより、ユーザデバイスの所在地の第２移動体通信網とローカルリンクの第２リンクを確立することができ、前記第２リンクはローカルリンクである。すなわち、サーバによって割り当てられた第２ユーザ識別コード内の国番号（ＭＣＣ）は、ユーザデバイスの現在所在地の国番号と一致してもよい。あるいは、サーバに、ユーザデバイスの現在所在地の国番号と一致するユーザ識別コードがない場合には、当該第２ユーザ識別コードの国番号の示す国は、ユーザの現在所在国の地理的に最も近いまたはより近い国であり、若しくはローミング料金が最も低いまたはより低い国であることができる。
【００９５】
本発明の実施形態では、サーバは、ユーザ請求メッセージによりユーザに第２ユーザ識別コードを割り当てることにより、ユーザデバイスが低コストのリンクを確立することができ、ローミング料金を低減することができる。
【００９６】
更に、本発明の一実施形態のアクセス方法では、請求メッセージにユーザデバイスの位置情報を携帯する。請求メッセージがユーザデバイスの位置情報を携帯する場合、請求メッセージに応じてユーザデバイスに第２ユーザ識別コードを割り当て、具体的に次を含む。
【００９７】
ユーザデバイスの現在所在地のユーザ識別コードである第２ユーザ識別コードを、ユーザデバイスの現在所在地情報によりユーザデバイスに割り当てる。理解できるように、ユーザデバイスが第１ユーザ識別コードにより登録に成功した場合に、ユーザデバイスは、前記第１ユーザ識別コードにより登録に成功したＭＣＣまたはＭＮＣを取得することができ、これをユーザデバイスの現在所在地情報とすることができる。
【００９８】
ここでの位置情報は、省や州から所在国までの情報であってもよく、位置情報の精確さが高いほど、サーバは第２ユーザ識別コードをより具体的に特定することができる。より精確な位置情報がローミング料金の更なる削減、通信の質の更なる向上に繋がる。
【００９９】
更に、本発明の一実施形態のアクセス方法では、請求メッセージにユーザデバイスの種別情報をも携帯する。
【０１００】
請求メッセージがユーザデバイスの種別情報を携帯する場合、請求メッセージに応じてユーザデバイスに第２ユーザ識別コードを割り当てる。具体的には、ユーザデバイスの種別情報に応じてユーザデバイスに第２ユーザ識別コードを割り当てることを含む。
【０１０１】
例えば、ユーザデバイスの種別情報には、中国の聯通または移動などのネットワーク事業者情報、及びユーザレベル、ユーザの適用業務、ユーザの能力属性など様々なユーザタイプが含まれる。サーバは、これらの情報によりＵＭＴＳまたはＬＴＥなどの通信ネットワークをユーザデバイスに割り当てることができる。
【０１０２】
図８は本発明によるアクセス方法のもう一つの実施形態のフローチャートである。図８に示すように、本発明の一実施形態のアクセス方法は、以下のステップを含む。
【０１０３】
ステップ８１０は、ユーザデバイスと第１移動体通信網間のリンクである第１リンクを介し、ユーザ識別コードをユーザデバイスに割り当てるようサーバにアクセスする請求メッセージを取得すること。
【０１０４】
同ステップでは、ユーザデバイスと第１移動体通信網間のリンクである第１リンクを介し、ユーザ識別コードをユーザデバイスに割り当てるようサーバにアクセスする請求メッセージを取得する。具体的には、操作の実行について図７に対応する実施形態ステップ７１０を参照されたい。
【０１０５】
ステップ８２０は、第２ユーザ識別コードによりユーザデバイスとユーザデバイスの現在所在地の第２移動体通信網間の第２リンクを確立する為、サーバにある実体ＳＩＭカードに対応する第２ユーザ識別コードを、請求メッセージによりユーザデバイスに割り当てること。
【０１０６】
同ステップでは、第２ユーザ識別コードによりユーザデバイスとユーザデバイスの現在所在地の第２移動体通信網間の第２リンクを確立する為、サーバにある実体ＳＩＭカードに対応する第２ユーザ識別コードを、請求メッセージによりユーザデバイスに割り当てる。具体的には、図７に対応する実施形態ステップ７２０による。
【０１０７】
ステップ８３０は、ユーザデバイスのアクセス請求に応じた第２移動体通信網から前記ユーザデバイスに送信された認証請求メッセージを取得すること。
通常、ユーザデバイスがネットワーク側から送信された認証請求パラメータを受信した後、ＳＩＭカード認証回路によって認証応答が算出される。本発明では、第２ユーザ識別コードがサーバ内の１つの実体ＳＩＭカードと一意に対応するため、ユーザデバイスは、第１ユーザ識別コードにより確立された第１リンクを介し、第２移動体通信網のネットワーク側から取得した認証請求メッセージをサーバに送信し、同ステップでは、サーバがユーザデバイスから送信された認証請求メッセージを取得する。
【０１０８】
ステップ８４０は、サーバ内のＳＩＭカードが認証請求メッセージにより決定する認証応答により、ユーザデバイスが認証応答に応じて第２移動体通信網と第２リンクを確立するように、認証応答をユーザデバイスに送信すること。
【０１０９】
サーバが認証請求メッセージを受信すると、ＳＩＭカードの認証回路が認証応答を計算して決定する。例えば、サーバの実体ＳＩＭカードに格納したＩＭＳＩと暗号鍵（Ｃｉｐｈｅｒｉｎｇ  Ｋｅｙ、ＫＩ）をＡ３認証演算回路の入力パラメータとし、認証シンボル応答ＳＲＥＳを算出してユーザデバイスに返送する。それによってユーザデバイスがサーバの算出した認証シンボル応答ＳＲＥＳを第２移動体通信網のネットワーク側に送信し、第２移動体通信網のネットワーク側移動交換センター（Ｍｏｂｉｌｅ  Ｓｗｉｔｃｈｉｎｇ  Ｃｅｎｔｒｅ、ＭＳＣ）が元のパラメータ群のうち認証センター（ＡＵｔｈｅｎｔｉｃａｔｉｏｎ  Ｃｅｎｔｅｒ、ＡＵＣ）で算出したＳＲＥＳとユーザデバイスの返したＳＲＥＳとを比較し、同じであれば正当であるとみなし、認証が成功し、ユーザデバイスのアクセスを許可して第２リンクを確立する。
【０１１０】
同ステップでは、サーバは、サーバ内の実体ＳＩＭカードによる計算で決定された認証応答をユーザデバイスに送信することにより、ユーザデバイスが認証応答により第２移動体通信網との間の第２リンクを確立する。
【０１１１】
本発明の実施形態では、サーバは、ユーザデバイスから送信された認証請求メッセージを受信すると、ＳＩＭカードモジュールが認証パラメータに基づき認証応答を算出し、ユーザデバイスに送信することにより、ユーザデバイスは、実体ＳＩＭカードを購入して挿入することなく、ローカルな第２リンクを確立したローカル通話を行うことができるので、国際通信に伴うローミング料金を大幅に低減することができ、また、第２リンクがユーザデバイスの現在所在地のローカルリンクであるため、通信の質が向上する。これにより、本発明の実施形態は、ローミング料金の低減と通信の質向上を両立し、コストを低減するとともに、ユーザの体験が向上する。
【０１１２】
図９は本発明によるアクセスデバイスの一実施形態の構成略図である。図９に示すように、本発明の一実施形態のサーバは、第２取得モジュール９１０と、分配モジュール９２０を備え、下記のようになる。
【０１１３】
ユーザデバイスと第１移動体通信網間のリンクである第１リンクを介し、ユーザ識別コードをユーザデバイスに割り当てるようサーバにアクセスする請求メッセージを取得するように構成される第２取得モジュール９１０を含み、
【０１１４】
サーバの第２取得モジュール９１０は、第１リンクを介してユーザデバイスの請求メッセージを取得し、請求メッセージは、ユーザ識別コードをユーザデバイスに割り当てるようサーバにアクセスする。理解できるように、サーバは請求メッセージから、当該ユーザデバイスの現在所在地の位置情報を取得することができる。
【０１１５】
第２ユーザ識別コードによりユーザデバイスとユーザデバイスの現在所在地の第２移動体通信網間の第２リンクを確立する為、サーバにある実体ＳＩＭカードに対応する第２ユーザ識別コードを、請求メッセージによりユーザデバイスに割り当てるように構成される分配モジュール９２０。
【０１１６】
サーバに複数の実体ＳＩＭカードがあり、それぞれ唯一のユーザ識別コードと一意に対応することができるとして理解できる。サーバの割り当てモジュール９２０は、受信した請求メッセージによりユーザデバイスに第２ユーザ識別コードを割り当てることができ、例えば、サーバは、請求メッセージ内のユーザデバイスの現在所在地に基づきユーザデバイスに第２ユーザ識別コードを割り当てることができ、ユーザデバイスは、第２ユーザ識別コードにより、ユーザデバイスの所在地の第２移動体通信網とローカルリンクの第２リンクを確立することができ、前記第２リンクはローカルリンクである。すなわち、サーバによって割り当てられた第２ユーザ識別コード内の国番号（ＭＣＣ）は、ユーザデバイスの現在所在地の国番号と一致してもよい。あるいは、サーバに、ユーザデバイスの現在所在地の国番号と一致するユーザ識別コードがない場合には、当該第２ユーザ識別コードの国番号の示す国は、ユーザの現在所在国の地理的に最も近いまたはより近い国であり、若しくはローミング料金が最も低いまたはより低い国であることができる。
【０１１７】
本発明の実施形態では、サーバは、ユーザ請求メッセージによりユーザに第２ユーザ識別コードを割り当てることにより、ユーザデバイスが低コストのリンクを確立することができ、ローミング料金を低減することができる。
【０１１８】
更に、第２取得モジュールの取得した請求メッセージがユーザデバイスの位置情報を携帯する場合、ユーザデバイスの現在所在地のユーザ識別コードである第２ユーザ識別コードを、ユーザデバイスの現在所在地情報によりユーザデバイスに割り当てるように構成される割り当てモジュールを含む。
【０１１９】
ここでの位置情報は、省や州から所在国までの情報であってもよく、位置情報の精確さが高いほど、サーバの割り当てモジュールは第２ユーザ識別コードをより具体的に特定して割り当てることができる。より精確な位置情報がローミング料金の更なる削減、通信の質の更なる向上に繋がることが理解できる。
【０１２０】
更に、第２取得モジュールの取得した請求メッセージがユーザデバイスの種別情報を携帯する場合、
【０１２１】
ユーザデバイスの種別情報により、ユーザデバイスに第２ユーザ識別コードを割り当てるように構成される割り当てモジュールを含む。例えば、ユーザデバイスの種別情報には、中国の聯通または移動などのネットワーク事業者情報、及びユーザレベル、ユーザの適用業務、ユーザの能力属性など様々なユーザタイプが含まれる。サーバの割り当てモジュールは、これらの情報によりＵＭＴＳまたはＬＴＥなどの通信ネットワークをユーザデバイスに割り当てることができる。
【０１２２】
図１０は本発明によるアクセスデバイスのもう一つの実施形態の構成略図である。図１０に示すように、本発明の実施形態のサーバは、第２取得モジュール９１０と、割り当てモジュール９２０と、第３取得モジュール９３０と、送信モジュール９４０とを備える。そのうち第２取得モジュール９１０および割り当てモジュール９２０の具体的な実施形態の動作は、図９に対応する実施形態の各モジュールを参照することができる。下記のようになる。
【０１２３】
ユーザデバイスのアクセス請求に応じた第２移動体通信網から前記ユーザデバイスに送信された認証請求メッセージを取得するように構成される第３取得モジュール９３０を含む。
【０１２４】
通常、ユーザデバイスがネットワーク側から送信された認証請求パラメータを受信した後、ＳＩＭカード認証回路によって認証応答が算出される。本発明では、第２ユーザ識別コードがサーバ内の１つの実体ＳＩＭカードと一意に対応するため、ユーザデバイスは、第１ユーザ識別コードにより確立された第１リンクを介し、第２移動体通信網のネットワーク側から取得した認証請求メッセージをサーバに送信する。サーバの第３取得モジュール９３０は、ユーザデバイスから送信された認証請求メッセージを取得する。
【０１２５】
送信モジュール９４０は、サーバ内のＳＩＭカードが認証請求メッセージにより決定する認証応答により、ユーザデバイスが認証応答に応じて第２移動体通信網と第２リンクを確立するように、認証応答をユーザデバイスに送信するように構成される。
【０１２６】
サーバが認証請求メッセージを受信すると、ＳＩＭカードの認証回路が認証応答を計算して決定する。例えば、サーバの実体ＳＩＭカードに格納したＩＭＳＩとＫＩをＡ３認証演算回路の入力パラメータとし、認証シンボル応答ＳＲＥＳを算出してユーザデバイスに返送する。それによってユーザデバイスがサーバにより算出された認証シンボル応答ＳＲＥＳを第２移動体通信網のネットワーク側に送信し、第２移動体通信網のネットワーク側ＭＳＣが元のパラメータ群のＡｕＣから算出したＳＲＥＳとユーザデバイスの返したＳＲＥＳとを比較し、同じであれば正当であるとみなして認証が成功し、ユーザデバイスのアクセスを許可して第２リンクを確立する。
【０１２７】
サーバの送信モジュール９４０は、サーバ内の実体ＳＩＭカードによる計算で決定された認証応答を、ユーザデバイスが認証応答により第２移動体通信網と第２リンクを確立するために、ユーザデバイスに送信する。
【０１２８】
本発明の実施形態では、サーバは、ユーザデバイスから送信された認証請求メッセージを受信すると、ＳＩＭカードモジュールが認証パラメータに基づき認証応答を算出し、ユーザデバイスに送信することにより、ユーザデバイスは、実体ＳＩＭカードを購入して挿入することなく、ローカルな第２リンクを確立したローカル通話を行うことができるので、国際通信に伴うローミング料金を大幅に低減することができ、また、第２リンクがユーザデバイスの現在所在地のローカルリンクであるため、通信の質が向上する。これにより、本発明の実施形態は、ローミング料金の低減と通信の質向上を両立し、コストを低減するとともに、ユーザの体験が向上する。
【０１２９】
更に、サーバは複数のＳＩＭカードが搭載されている。これらの実体ＳＩＭカードは、サーバ内で配列の形で配置され、また、これらのＳＩＭカードは世界中のいかなる国家及び地域のＳＩＭカードであっても良い。より具体的には、或るサーバに搭載されたＳＩＭカードは、同サーバの現地または同サーバの現地に近いＳＩＭカードであっても良い。これにより、サーバが請求を受信してユーザデバイスにユーザ識別コードを割り当てる時に、当該ユーザデバイスの現在所在地に最も近い及び／又は通信料の最も低いユーザ識別コードをできるだけ割り当てることができる。
【０１３０】
更に、サーバ内のＳＩＭカードは、サーバの所在地のローカルＳＩＭカードである。サーバ内のＳＩＭカードがサーバの所在地のローカルＳＩＭカードである場合、ユーザデバイスが第２ユーザ識別コードを介して第２リンクを確立する際に、確立されたリンクの通信料が最も低く、信号の質が最も良い。
【０１３１】
図１１は本発明によるアクセス方法の信号交信図である。図１１に示すように、本発明の実施形態のアクセス方法は、第１ユーザ識別コードにより第１移動体通信網にアクセス請求を開始するステップ１１０１と、第１移動体通信網から送信された認証請求を取得するステップ１１０２と、プリセット規則及び取得した認証請求により第１移動体通信網に認証応答を送信し第１リンクを確立するステップ１１０３と、第１リンクを介し、サーバにある実体ＳＩＭカードに対応する、ユーザデバイスの現在所在地のユーザ識別コードをユーザデバイスに割り当てるようサーバに請求するステップ１１０４と、第１リンクを介してサーバから割り当てられた第２ユーザ識別コードを取得するステップ１１０５と、第２ユーザ識別コードにより第２移動体通信網にアクセス請求を開始するステップ１１０６と、第２移動体通信網から送信された認証請求を取得するステップ１１０７と、サーバ内のＳＩＭカードが、認証請求メッセージにより認証応答を決定するように、認証請求メッセージをサーバに送信するステップ１１０８と、サーバから送信された認証応答を取得するステップ１１０９と、ユーザデバイスと第２移動通信網間の第２リンクを確立するために、第２移動通信網に認証応答を送信するステップ１１１０を含む。
【０１３２】
本発明の一実施形態はまず、第１ユーザ識別コードによりユーザデバイスと第１移動体通信網との第１リンクを確立した後、第１リンクを介してユーザデバイスの現在所在地にある現地の第２ユーザ識別コードを取得し、第２ユーザ識別コードによりユーザデバイスと第２移動体通信網との間の第２リンクを確立することにより、ユーザデバイスが現在所在地にある現地の第２ユーザ識別コードを介してローカル無線通信接続を確立することができ、現地のデータ通信量に基づき課金することができるので、ユーザデバイスのＳＩＭカードをユーザが交換することなく、通話およびデータ通信量を容易に低減することができる。
【０１３３】
また、本発明の一実施形態は、前記ユーザデバイスとサーバを含む通信システムをさらに含み、当該ユーザデバイスとサーバは、信号交信とデータ転送を実行する。
【０１３４】
同技術分野の一般的な技術者がはっきりと理解できることに、説明の簡素化と便宜上、前記諸機能モジュールの分類による例示を以てのみ説明したが、実際の実用化においては、前記諸機能に基づいた様々な機能モジュールを確立ことができる。すなわち、装置の内部構造を様々な機能モジュールに分けられ、前記全部または一部の機能を現実化することができる。前記システム、装置、およびユニットの具体的な動作については、前記実施形態のそれぞれのプロセスを参照することができ、ここで改めてくどくど述べる必要はない。
【０１３５】
本出願で提供したいくつかの実施形態において、開示されたシステム、装置、および方法は、他の方法で実施されてもよいことを理解されたい。例えば、モジュールまたはユニットの分割は、論理的な機能分割のみであり、例えば、複数のユニットまたは構成要素から成るか、別のシステムに統合されるか、一部の機能が無視されるか、実行させないかのように、実際の実装時に別の分割方法を採用してもよい。さらに、図示または説明した結合、直接結合または通信接続は、いくつかのインタフェース、デバイスまたはユニットを介する間接結合または通信接続であってもよく、電気的、機械的またはその他の方法であってもよい。
【０１３６】
前記装置の実施形態は模式的なものであり、分離機能部として説明した手段は、物理的に分離されていてもよく、物理的に分離されていなくてもよい。ユニットとしての機能部は、物理的な手段であってもでなくてもよく、１箇所に位置していてもよく、複数のネットワークユニットに分散されていてもよい。この実施形態の解決策の目的を達成するために、前記ユニットの一部または全部を実況に応じて選択することができる。
【０１３７】
また、本発明の各実施形態における各機能部は、１つの処理部に統合されていてもよく、様々な物理的な実体に別々に存在してもよく、２つ以上のユニットを一体化にしてもよい。前記統合ユニットは、ハードウェアの形態で、またはソフトウェア機能ユニットの形態で実施することができる。
【０１３８】
前記統合ユニットは、ソフトウェア機能ユニットの形態で実装され、独立した製品として販売または使用される場合、コンピュータ可読記憶媒体に格納されてもよい。従って、本出願の技術的な解決手段は本質的に、または従来技術に貢献する部分、あるいはその全部または一部が、１つの記憶媒体に格納されたソフトウェア製品として具現化されてもよく、１つの計算機装置（パソコン、サーバ、あるいはネットワーク装置などであってもよい）またはプロセッサ（ｐｒｏｃｅｓｓｏｒ）で様々なコマンドを実行し、本出願のすべての実施形態の方法の一部または全部のステップを実現する。前記記憶媒体は、ＵＳＢメモリ、ポータブルハードディスク、読み取り専用メモリ（ＲＯＭ、Ｒｅａｄ−Ｏｎｌｙ  Ｍｅｍｏｒｙ）、ランダムアクセスメモリー（ＲＡＭ、Ｒａｎｄｏｍ  Ａｃｃｅｓｓ  Ｍｅｍｏｒｙ）、磁気ディスク、または光学媒体など様々なプログラムコードを格納することができる媒介物を含む。
【０１３９】
なお、前記実施形態は、本発明の技術的解決手段を説明するためのものであってのみ、これに限定されるものではなく、前記実施形態を以て本発明を詳細に説明したが、同技術分野の一般的な技術者にとって理解しやすいように、前述の実施形態で説明した技術的解決策を変更したり、技術的特徴を同質的に置き換えたりすることができるが、同変更または置き換えにより、技術的な解決手段を本発明の各実施形態の技術的解決策の趣旨と範囲を逸脱させるわけではない。
【図１】
2019506796.tif 000003
【図２】
2019506796.tif 000004
【図３】
2019506796.tif 000005
【図４】
2019506796.tif 000006
【図５】
2019506796.tif 000007
【図６】
2019506796.tif 000008
【図７】
2019506796.tif 000009
【図８】
2019506796.tif 000010
【図９】
2019506796.tif 000011
【図１０】
2019506796.tif 000012
【図１１】
2019506796.tif 000013
【国際調査報告】
2019506796.tif 000014
2019506796.tif 000015
2019506796.tif 000016
2019506796.tif 000017